(57)【特許請求の範囲】
【請求項１】
携帯情報端末と、該携帯情報端末を移動データ網に接続するための複数の移動機と、前記複数の移動機と前記移動データ網との間に介在する無線回線制御手段及びパケット移動通信加入者交換機と、前記移動データ網内に設置された認証装置と、前記移動データ網とインターネットとの間に介在するパケット移動通信関門交換機と、前記インターネットに接続され且つ前記携帯情報端末からの要求に基づきコンテンツを送信するコンテンツ送信装置とを備えた移動通信システムにおいて、
前記携帯情報端末は、前記複数の移動機との間で通信リンクを確立し、前記複数の移動機を介して前記認証装置にログイン要求を行い、
前記認証装置は、前記携帯情報端末からの前記ログイン要求に基づき、前記携帯情報端末使用者の正当性の有無を確認する認証処理を行い、
前記パケット移動通信関門交換機は、前記認証装置で認証結果が正しいと判定された場合に、前記携帯情報端末へのデータ転送経路として前記複数の移動機を追加登録し、
前記パケット移動通信関門交換機は、前記コンテンツ送信装置から前記携帯情報端末宛のデータを受信すると、前記携帯情報端末へのデータ転送先として登録された前記複数の移動機のひとつを順次選択し、選択された前記移動機を経由して前記データを前記携帯情報端末へ転送することを特徴とする移動通信システム。
【請求項２】
前記携帯情報端末は、前記コンテンツ送信装置からＷｅｂコンテンツ或いは画像ファイル或いは音楽ファイルを含む情報を取得するモバイル機器であることを特徴とする請求項１に記載の移動通信システム。
【請求項３】
前記認証装置は、該認証装置内に蓄積している前記携帯情報端末のユーザＩＤ及びパスワードと、前記携帯情報端末から受信したユーザＩＤ及びパスワードとを照合し、前記認証処理を行うことを特徴とする請求項１に記載の移動通信システム。
【請求項４】
前記パケット移動通信関門交換機は、前記認証装置で認証結果が正しいと判定された場合に、前記携帯情報端末使用者のデータベースを生成し保持することを特徴とする請求項１に記載の移動通信システム。
【請求項５】
前記携帯情報端末と前記移動機とは、短距離無線通信規格であるＢｌｕｅｔｏｏｔｈを用いた無線インタフェースにより通信を行うことを特徴とする請求項１乃至４の何れかに記載の移動通信システム。
【請求項６】
前記携帯情報端末と前記移動機とは、赤外線を用いたデータ通信用のインタフェースであるＩｒＤＡ（Infrared Data Association）により通信を行うことを特徴とする請求項１乃至４の何れかに記載の移動通信システム。
【請求項７】
前記携帯情報端末と前記移動機とは、家庭向け簡易無線ＬＡＮ仕様のＨｏｍｅＲＦ（Home Radio Frequency）により通信を行うことを特徴とする請求項１乃至４の何れかに記載の移動通信システム。
【請求項８】
前記携帯情報端末と前記移動機とは、有線インタフェースにより通信を行うことを特徴とする請求項１乃至４の何れかに記載の移動通信システム。
【請求項９】
携帯情報端末と、該携帯情報端末を移動データ網に接続するための複数の移動機と、前記複数の移動機と前記移動データ網との間に介在する無線回線制御手段及びパケット移動通信加入者交換機と、前記移動データ網内に設置された認証装置と、前記移動データ網とインターネットとの間に介在するパケット移動通信関門交換機と、前記インターネットに接続され且つ前記携帯情報端末からの要求に基づきコンテンツを送信するコンテンツ送信装置とを備えた移動通信システムにおけるデータ転送方法において、
前記携帯情報端末は、前記複数の移動機との間で通信リンクを確立し、前記複数の移動機を介して前記認証装置にログイン要求を行い、
前記認証装置は、前記携帯情報端末からの前記ログイン要求に基づき、前記携帯情報端末使用者の正当性の有無を確認する認証処理を行い、
前記パケット移動通信関門交換機は、前記認証装置で認証結果が正しいと判定された場合に、前記携帯情報端末へのデータ転送経路として前記複数の移動機を追加登録し、
前記パケット移動通信関門交換機は、前記コンテンツ送信装置から前記携帯情報端末宛のデータを受信すると、前記携帯情報端末へのデータ転送先として登録された前記複数の移動機のひとつを順次選択し、選択された前記移動機を経由して前記データを前記携帯情報端末へ転送することを特徴とするデータ転送方法。
【発明の詳細な説明】
【０００１】
【発明の属する技術分野】
本発明は、移動通信システム及び移動通信システムにおけるデータ転送方法に関し、特に、Ｂｌｕｅｔｏｏｔｈ等の短距離高速無線通信技術を利用した公衆移動データ通信におけるデータ転送に好適な移動通信システム及び移動通信システムにおけるデータ転送方法に関する。
【０００２】
【従来の技術】
近年、第３世代セルラシステムの登場に伴い、移動通信においても広帯域データ転送が実現されようとしている。また、ＣＡＴＶ（Cable Television）、ＡＤＳＬ（Asymmetrical Digital Subscriber Line）、ＦＴＴＨ（Fiber To The Home等の広帯域常時接続サービスが安価に提供されつつある。
【０００３】
上記の移動通信に関する従来例としては、例えば特開平１０−９４０５５号公報に記載の技術が提案されている。同公報に記載の技術は、高効率なデータ通信を可能とすることを目的としたものであり、無線送受信機能を有し且つ通信データ端末を接続することが可能な送受信手段と、前記送受信手段に無線通信回線にて結合され、複数の送受信手段間での信号伝送による通信を提供する交換回線手段と、前記交換回線手段に設けられ、少なくともデータ通信時の伝送データを一時蓄積するとともに、受信側の前記送受信手段が伝送データを受信可能であるときに、蓄積した前記伝送データを前記受信側の送受信手段に転送するデータ蓄積手段とを具備することを特徴とする無線通信ネットワークシステムである。
【０００４】
また、上記の移動通信に関する他の従来例としては、例えば特開平１１−２３４７４９号公報に記載の技術が提案されている。同公報に記載の技術は、移動局間でデータ通信経路がとぎれないようにすることを目的としたものであり、ＰＨＳのトランシーバモードの子機間直接通話用キャリアを二つ使用し、二つの子機間直接通話用キャリアの通話停止期間が重ならないようにし、片方の子機間直接通話用キャリアが通話停止期間中も残りの子機間直接通話用キャリアに経路制御を行い、データの送受信がとぎれることなく行えることを特徴とする無線データ通信装置である。
【０００５】
また、上記の移動通信に関する他の従来例としては、例えば特開平１１−３０８１７６号公報に記載の技術が提案されている。同公報に記載の技術は、赤外線ＰＨＳ自らが送出する電波により赤外線通信機能の誤動作防止を目的としたものであり、赤外線によりデータを送受信するための赤外線通信手段と、電波により公衆網を介してデータを送受信するための無線通信手段と、前記無線通信手段によってデータを送信するときの送信期間を示す情報を前記赤外線通信手段を介して外部へ送信し、外部から前記赤外線通信手段を介して受信したデータに基づいて前記無線通信手段によるデータの送受信を制御するための制御手段とを含むことを特徴とする無線通信装置である。
【０００６】
【発明が解決しようとする課題】
しかしながら、上述した従来例においては次のような問題点があった。
【０００７】
上述したように、第３世代セルラシステムの登場に伴い、移動通信においても広帯域データ転送が実現されようとしているが、ＣＡＴＶ、ＡＤＳＬ、ＦＴＴＨ等の広帯域常時接続サービスが安価に提供されつつあることから、有線における広帯域データ転送サービスと比較すると、移動通信におけるデータ転送サービスはデータ転送速度、価格の面で、ユーザが満足できる状況ではないのが現状である。
【０００８】
また、Ｂｌｕｅｔｏｏｔｈ等の短距離高速無線技術の確立に伴い、身の回りの情報機器が無線ネットワークで繋がる、いわゆるＰＡＮ（Personal Area Network）が形成されると、これらの情報機器は、携帯電話を介して公衆ネットワークにアクセスすることが考えられる。しかし、エンド−エンド（通信を行うユーザ同士の両情報機器間）の通信スループットで見た場合に、公衆無線ネットワークのバックボーン及びＢｌｕｅｔｏｏｔｈ等の高速無線通信の転送速度に対して、移動通信の無線区間のデータ転送速度が障害になると考えられている。
【０００９】
本発明の目的は、Ｂｌｕｅｔｏｏｔｈ等の短距離高速無線通信技術を利用した公衆移動データ通信におけるデータ転送時に、自身が保有する移動機以外の複数の移動機の無線回線リソースを一時的に使用することを可能とし、利用者から見たデータ転送スループットの向上を可能とした移動通信システム及び移動通信システムにおけるデータ転送方法を提供するものである。
【００１０】
【課題を解決するための手段】
本発明は、携帯情報端末と、該携帯情報端末を移動データ網に接続するための複数の移動機と、前記複数の移動機と前記移動データ網との間に介在する無線回線制御手段及びパケット移動通信加入者交換機と、前記移動データ網内に設置された認証装置と、前記移動データ網とインターネットとの間に介在するパケット移動通信関門交換機と、前記インターネットに接続され且つ前記携帯情報端末からの要求に基づきコンテンツを送信するコンテンツ送信装置とを備えた移動通信システムにおいて、前記携帯情報端末は、前記複数の移動機との間で通信リンクを確立し、前記複数の移動機を介して前記認証装置にログイン要求を行い、前記認証装置は、前記携帯情報端末からの前記ログイン要求に基づき、前記携帯情報端末使用者の正当性の有無を確認する認証処理を行い、前記パケット移動通信関門交換機は、前記認証装置で認証結果が正しいと判定された場合に、前記携帯情報端末へのデータ転送経路として前記複数の移動機を追加登録し、前記パケット移動通信関門交換機は、前記コンテンツ送信装置から前記携帯情報端末宛のデータを受信すると、前記携帯情報端末へのデータ転送先として登録された前記複数の移動機のひとつを順次選択し、選択された前記移動機を経由して前記データを前記携帯情報端末へ転送することを特徴とする。
【００１１】
また、本発明は、携帯情報端末と、該携帯情報端末を移動データ網に接続するための複数の移動機と、前記複数の移動機と前記移動データ網との間に介在する無線回線制御手段及びパケット移動通信加入者交換機と、前記移動データ網内に設置された認証装置と、前記移動データ網とインターネットとの間に介在するパケット移動通信関門交換機と、前記インターネットに接続され且つ前記携帯情報端末からの要求に基づきコンテンツを送信するコンテンツ送信装置とを備えた移動通信システムにおけるデータ転送方法において、前記携帯情報端末は、前記複数の移動機との間で通信リンクを確立し、前記複数の移動機を介して前記認証装置にログイン要求を行い、前記認証装置は、前記携帯情報端末からの前記ログイン要求に基づき、前記携帯情報端末使用者の正当性の有無を確認する認証処理を行い、前記パケット移動通信関門交換機は、前記認証装置で認証結果が正しいと判定された場合に、前記携帯情報端末へのデータ転送経路として前記複数の移動機を追加登録し、前記パケット移動通信関門交換機は、前記コンテンツ送信装置から前記携帯情報端末宛のデータを受信すると、前記携帯情報端末へのデータ転送先として登録された前記複数の移動機のひとつを順次選択し、選択された前記移動機を経由して前記データを前記携帯情報端末へ転送することを特徴とする。
【００１３】
［作用］
本発明の移動通信システムは、Ｂｌｕｅｔｏｏｔｈ等の短距離高速無線通信技術を利用した公衆移動データ通信におけるデータ転送時に、自身が保有する移動機以外の複数の移動機の無線回線リソースを一時的に使用する。そのため、利用者から見たデータ転送スループットの向上が期待できる。
【００１４】
【発明の実施の形態】
次に、本発明の実施形態について図面を参照して詳細に説明する。
【００１５】
（１）構成の説明
図１は本発明の実施形態のデータ転送方法を利用した公衆移動通信システムの構成例を示すブロック図である。本発明の実施形態の公衆移動通信システムは、携帯情報端末１、移動機（以下、ＭＳと略称する。ＭＳ：Mobile Station）２１〜２ｎ、無線回線制御手段であるＲＡＮ（ＲＡＮ：Radio Access Network）３、パケット移動通信加入者交換機（以下、Ｐ−ＭＳＣと略称する。Ｐ−ＭＳＣ：Packet-Mobile Switching Center）４１〜４２、移動データ網５、ホームロケーションレジスタ（以下、ＨＬＲと略称する。ＨＬＲ：Home Location Register）６、パケット移動通信関門交換機（以下、Ｐ−ＭＧＳと略称する。Ｐ−ＭＧＳ：Packet-Mobile Gateway Switching Center）７、認証サーバ８、インターネット９、コンテンツサーバ１０から構成されている。
【００１６】
上記構成を詳述すると、携帯情報端末１は、ＰＣあるいはＰＤＡ（Personal Digital Assistant）、携帯音楽プレーヤ等のモバイル機器であって、ＭＳ２１〜２ｎを介して移動データ網５にアクセスし、インターネット９上のコンテンツサーバ１０からＷｅｂコンテンツ、画像ファイル、音楽ファイル等の情報を取得し、その内容の表示あるいは音楽の再生を行う。携帯情報端末１は、例えばＢｌｕｅｔｏｏｔｈ等の短距離高速無線インタフェースを備えており、ＭＳ２１とは該短距離高速無線インタフェースでデータのやり取りを行う機能を有する。
【００１７】
ＭＳ２１〜２ｎは、ＲＡＮ３及びＰ−ＭＳＣ４１または４２を経由して、移動データ網５に接続し、所望の相手との通信を行う通信手段を備えている。また、ＭＳ２１〜２ｎは、Ｂｌｕｅｔｏｏｔｈ等の短距離高速無線インタフェースを備えており、携帯情報端末１と該短距離高速無線インタフェースでデータのやり取りを行う機能を有する。
【００１８】
ＲＡＮ３は、ＭＳ２１〜２ｎの無線通信の中継を行う無線回線制御手段であり、基地局（ＢＳ：Base Station）及びＲＮＣ（Radio Network Controller）から構成されている。
【００１９】
Ｐ−ＭＳＣ４１及び４２は、ＭＳ２１〜２ｎと移動データ網５を接続し、通信パケット交換処理を行う。ＨＬＲ６は、ＭＳ２１〜２ｎの加入者情報、位置情報及び携帯情報端末１のＩＰアドレスを、ＭＳ２１〜２ｎに関連付けて蓄積していると共に、ＭＳ２１〜２ｎ及び携帯情報端末１の課金情報等も管理しており、必要に応じて移動データ網５内にある課金センタへ課金情報の出力を行う機能を有する。
【００２０】
Ｐ−ＭＧＳ７は、移動データ網５内に設置されており、移動データ網５とインターネット９をつなぐゲートウェイ装置である。認証サーバ８は、移動データ網５内に設置されており、携帯情報端末１のユーザＩＤ及びパスワードを蓄積しており、パケット通信開始時等にＰ−ＭＧＳ７からの要求に応じて携帯情報端末１の認証処理を実施する。コンテンツサーバ１０は、携帯情報端末１からインターネット９を介して受信するコンテンツ要求に応じて、所定のコンテンツを送信する。
【００２１】
（２）動作の説明
次に、本発明の実施形態の動作について図１〜図６を参照して詳細に説明する。
【００２２】
＜パケット通信登録手順＞
図２は移動データ通信システムで一般的に行われているパケット通信登録手順を示すシーケンス図、図３は本発明の実施形態におけるデータ転送方法を実施するためのユーザ登録手順の一例を示すシーケンス図、図４は本発明の実施形態におけるデータ転送方法を利用したデータダウンロード手順の一例を示すシーケンス図、図５は本発明の実施形態におけるデータ転送方法を利用したデータアップロード手順の一例を示すシーケンス図、図６は図２のパケット通信登録手順における認証処理１００を示すシーケンス図である。
【００２３】
先ず、図２のシーケンスを説明する。図２に示すパケット通信登録手順は、移動機（ＭＳ２１〜２ｎ）の位置情報等を移動データ網５に登録するために実行されるもので、移動データ通信システムにおいて一般的に実施されている手順である。以下、図２を参照しパケット通信登録手順について説明する。
【００２４】
ＭＳ２１は、該ＭＳ２１の電源投入時または該ＭＳ２１所持者の移動時に、位置登録エリアが変更になったことを認識した場合に、Ｐ−ＭＳＣ４２に対してＡｔｔｃｈ要求信号を送信する。該Ａｔｔｃｈ要求信号には、ＭＳ２１が以前在圏していたＰ−ＭＳＣ４１より一時的に取得した移動機ＩＤである、Ｐ−ＴＭＳＩ（Packet Temporary Mobile Station Identifier）２１及び旧位置登録エリアコードが含まれる。
【００２５】
ＭＳ２１からのＡｔｔｃｈ要求信号を、ＲＡＮ３を介して受信したＰ−ＭＳＣ４２は、該Ａｔｔｃｈ要求信号に含まれるＰ−ＴＭＳＩ及び旧位置登録エリアコードより、ＭＳ２１が以前に在圏登録していたＰ−ＭＳＣ４１を特定し、Ｐ−ＭＳＣ４１にＩＤ要求信号の送信を行う。
【００２６】
Ｐ−ＭＳＣ４２よりＩＤ要求信号を受信したＰ−ＭＳＣ４１は、ＩＤ要求信号に含まれるＰ−ＴＭＳＩ１２より、ＭＳ２１の移動機ＩＤ及び認証情報を、ＩＤ応答信号としてＰ−ＭＳＣ４２に送信する。Ｐ−ＭＳＣ４２は、Ｐ−ＭＳＣ４１より受信したＭＳ２１の認証情報をもとに、ＭＳ２１に対して認証処理１００を行い、ＭＳ２１の正当性を確認後、ＨＬＲ６に対して位置更新要求信号を送出し、ＭＳ２１がＰ−ＭＳＣ４２配下に在圏していることを通知する。
【００２７】
Ｐ−ＭＳＣ４２より位置更新要求信号を受信したＨＬＲ６は、ＭＳ２１の位置情報を更新すると共に、位置更新応答信号により、Ｐ−ＭＳＣ４２に対してＭＳ２１の移動機ＩＤ、認証情報、及び本発明におけるデータ転送方法サービスに加入しているか否かを示す「マルチデータ転送サービス加入情報」等の加入者情報を送信する。
【００２８】
ＨＬＲ６からの位置更新応答信号を受信したＰ−ＭＳＣ４２は、該位置更新応答信号に含まれるＭＳ２１の加入者情報を記憶すると共に、ＭＳ２１に対してＰ−ＴＭＳＩ２１’を割り当て、ＭＳ２１に対してＡｔｔｃｈ応答信号により通知する。
【００２９】
Ｐ−ＭＳＣ４２からのＡｔｔｃｈ応答信号を、ＲＡＮ３を介して受信したＭＳ２１は、該Ａｔｔｃｈ応答信号に含まれるＰ−ＴＭＳＩ２１’を記憶する。
【００３０】
以上により、ＭＳ２１のパケット通信登録手順が完了する。尚、ＭＳ２２〜ＭＳ２ｎにおいても、上記ＭＳ２１と同様の手順によりパケット通信登録手順が実行されるが、説明は省略する。
【００３１】
＜ユーザ登録手順＞
次に、ユーザ登録手順を説明する。図３に示すユーザ登録手順は、携帯情報端末１が移動機（ＭＳ２１〜２ｎ）を介して移動データ網５及びＩｎｔｅｒｎｅｔと通信する前に、移動データ網５に携帯情報端末１のアドレス情報等を登録するために実行される手順である。以下、図３を参照し本発明におけるユーザ登録手順について説明する。
【００３２】
携帯情報端末１及びＭＳ２１を所有するユーザＡは、携帯情報端末１により移動データ網５及びインターネット９への接続要求を開始する。この時、ユーザＡは、移動データ網５に登録されているユーザＩＤ及びパスワードを入力する。ユーザＡの接続要求を受けた携帯情報端末１は、ＭＳ２１との間で高速無線通信リンク（Ｂｌｕｅｔｏｏｔｈ等）を確立後、ＭＳ２１にログイン要求信号を送信する。該ログイン要求信号には、携帯情報端末１のＩＰアドレス１、アクセスポイントの位置を示すＡＰＮ（Access Point Number）、Ｕｓｅｒ−ＩＤ及びパスワードが含まれる。
【００３３】
携帯情報端末１よりログイン要求信号を受信したＭＳ２１は、Ｐ−ＭＳＣ４２に対して、ＰＤＰ（Packet Data Protocol）−Ａｃｔｉｖａｔｅ要求信号を送信する。該ＰＤＰ−Ａｃｔｉｖａｔｅ要求信号には、ＡＰＮ、Ｐ−ＴＭＳＩ２１’、ＩＰアドレス１、Ｕｓｅｒ−ＩＤ、パスワードが含まれる。
【００３４】
ＭＳ２１よりＰＤＰ−Ａｃｔｉｖａｔｅ要求信号を受信したＰ−ＭＳＣ４２は、ＡＰＮより接続先アクセスポイントがＰ−ＭＧＳ７であることを認識する。また、Ｐ−ＴＭＳＩ２１’よりＩＭＳＩ２１を検索し、Ｐ−ＭＧＳ７との間でＭＳ２１のデータをやり取りするためのユーザ識別子（ＴＩＤ：Tunneling ID）を生成し、Ｐ−ＭＧＳ７にＰＤＰ−Ａｃｔｉｖａｔｅ要求信号を送信する。該ＰＤＰ−Ａｃｔｉｖａｔｅ要求信号には、先に生成したＴＩＤ２１、ＩＭＳＩ２１、ＩＰアドレス１、Ｕｓｅｒ−ＩＤ、パスワード及びＰ−ＭＳＣのノード番号（ＩＰアドレス）が含まれる。
【００３５】
Ｐ−ＭＳＣ４２からのＰＤＰ−Ａｃｔｉｖａｔｅ要求信号を受信したＰ−ＭＧＳ７は、該ＰＤＰ−Ａｃｔｉｖａｔｅ要求信号に含まれるＵｓｅｒ−ＩＤ及びパスワードを含む認証要求信号を、認証サーバ８に送信する。認証サーバ８は、Ｐ−ＭＧＳ７からの認証要求に従い、Ｕｓｅｒ−ＩＤ、パスワードの正当性を確認し、認証応答信号をＰ−ＭＧＳ７に送信する。
【００３６】
認証サーバ８より認証応答信号を受信し、当該ユーザの正当性を確認したＰ−ＭＧＳ７は、当該ユーザのデータベース（ＰＤＰ−Ｃｏｎｔｅｘｔ）を生成し、保持すると共に、Ｐ−ＭＳＣ４２にＰＤＰ−Ａｃｔｉｖａｔｅ応答信号を送信する。該ＰＤＰ−Ａｃｔｉｖａｔｅ応答信号には、ＴＩＤ２１及びＩＰアドレス１が含まれる。尚、Ｐ−ＭＧＳ７で生成／保持されるＰＤＰ−Ｃｏｎｔｅｘｔには、ＩＭＳＩ２１、ＩＰアドレス１、ＴＩＤ２１、Ｐ−ＭＳＣ番号（Ｐ−ＭＳＣ４２）等の情報が含まれている。
【００３７】
Ｐ−ＭＧＳ７よりＰＤＰ−Ａｃｔｉｖａｔｅ応答信号を受信したＰ−ＭＳＣ４２は、ＭＳ２１に対して論理リンクＩＤ（ＬＬＩ：Logical Link Identifier）１を割り当て、ＰＤＰ−Ａｃｔｉｖａｔｅ応答信号をＭＳ２１に送信する。該ＰＤＰ−Ａｃｔｉｖａｔｅ応答信号には、ＩＰアドレス１及びＬＬＩ１が含まれる。また、Ｐ−ＭＳＣ４２は、Ｐ−ＭＧＳ７と同様に、当該ユーザのＰＤＰ−Ｃｏｎｔｅｘｔを生成し保持する。該ＰＤＰ−Ｃｏｎｔｅｘｔには、ＩＭＳＩ２１、Ｐ−ＴＭＳＩ２１’、ＩＰアドレス１、ＴＩＤ２１、ＬＬＩ１、Ｐ−ＭＧＳ番号（Ｐ−ＭＧＳ７）等の情報が含まれる。
【００３８】
Ｐ−ＭＳＣ４２よりＰＤＰ−Ａｃｔｉｖａｔｅ応答信号を受信したＭＳ２１は、該ＰＤＰ−Ａｃｔｉｖａｔｅ応答信号に含まれるＩＰアドレス１及びＬＬＩ１を保持すると共に、携帯情報端末１にログイン応答信号を送信する。
【００３９】
以上で、携帯情報端末１のＭＳ２１に関するユーザ登録手順は完了する。
【００４０】
次に、携帯情報端末１は、近傍に存在するＭＳに対して高速無線インタフェース上でＰａｇｉｎｇ要求を行う。携帯情報端末１からのＰａｇｉｎｇ要求を受信したユーザＢが所有するＭＳ２２は、携帯情報端末１へ応答信号を送信し、携帯情報端末１との間で高速無線リンクの確立を行う。尚、ＭＳ２２が携帯情報端末１からのＰａｇｉｎｇ要求に対して応答するか否かは、事前にユーザＢがＭＳ２２に設定できることが望ましい。
【００４１】
ＭＳ２２との間で高速無線リンクの確立完了後、上記ＭＳ２１に関するユーザ登録手順と同様に、携帯情報端末１からＭＳ２２へログイン要求信号が送信され、ＭＳ２２からＰＤＰ−Ａｃｔｉｖａｔｅ要求信号がＰ−ＭＳＣ４２に送信される。
【００４２】
ＭＳ２２よりＰＤＰ−Ａｃｔｉｖａｔｅ要求信号を受信したＰ−ＭＳＣ４２は、該ＰＤＰ−Ａｃｔｉｖａｔｅ要求信号に含まれるＩＰアドレス１より、ＰＤＰ−Ｃｏｎｔｅｘｔが既に生成済みであることを認識した後、Ｐ−ＴＭＳＩ２２’よりＩＭＳＩ２２を検索し、Ｐ−ＭＧＳ７との間でＭＳ２２のデータをやり取りするためのＴＩＤ２２を新たに生成し、Ｐ−ＭＧＳ７にＰＤＰ−Ｃｏｎｔｅｘｔ更新要求信号を送信する。該ＰＤＰ−Ｃｏｎｔｅｘｔ更新要求信号には、先に生成したＴＩＤ２２、ＩＭＳＩ２２、ＩＰアドレス１、Ｕｓｅｒ−ＩＤ、パスワード及びＰ−ＭＳＣのノード番号（ＩＰアドレス）が含まれる。
【００４３】
Ｐ−ＭＳＣ４２からのＰＤＰ−Ｃｏｎｔｅｘｔ更新要求信号を受信したＰ−ＭＧＳ７は、該ＰＤＰ−Ｃｏｎｔｅｘｔ更新要求信号に含まれるＵｓｅｒ−ＩＤ及びパスワードを含む認証要求信号を、認証サーバ８に送信する。認証サーバ８は、Ｐ−ＭＧＳ７からの認証要求に従い、Ｕｓｅｒ−ＩＤ、パスワードの正当性を確認し、認証応答信号をＰ−ＭＧＳ７に送信する。
【００４４】
認証サーバ８より認証応答信号を受信し、当該ユーザの正当性を確認したＰ−ＭＧＳ７は、先に生成した当該ユーザのＰＤＰ−Ｃｏｎｔｅｘｔを更新すると共に、Ｐ−ＭＳＣ４２にＰＤＰ−Ｃｏｎｔｅｘｔ更新応答信号を送信する。該ＰＤＰ−Ｃｏｎｔｅｘｔ更新応答信号には、ＴＩＤ２２及びＩＰアドレス１が含まれる。尚、Ｐ−ＭＧＳ７でＰＤＰ−Ｃｏｎｔｅｘｔに追加される情報は、ＩＭＳＩ２２及びＴＩＤ２２である。
【００４５】
Ｐ−ＭＧＳ７よりＰＤＰ−Ｃｏｎｔｅｘｔ更新応答信号を受信したＰ−ＭＳＣ４２は、ＭＳ２２に対して論理リンクＩＤ２（ＬＬＩ２）を割り当て、ＰＤＰ−Ａｃｔｉｖａｔｅ応答信号をＭＳ２２に送信する。該ＰＤＰ−Ａｃｔｉｖａｔｅ応答信号には、ＩＰアドレス１及びＬＬＩ２が含まれる。また、Ｐ−ＭＳＣ４２は、Ｐ−ＭＧＳ７と同様に、当該ユーザのＰＤＰ−ＣｏｎｔｅｘｔにＩ−ＭＳＩ２２、Ｐ−ＭＳＩ２２、ＬＬＩ２、ＴＩＤ２２を追加更新する。
【００４６】
Ｐ−ＭＳＣ４２よりＰＤＰ−Ａｃｔｉｖａｔｅ応答信号を受信したＭＳ２２は、該ＰＤＰ−Ａｃｔｉｖａｔｅ応答信号に含まれるＩＰアドレス１及びＬＬＩ２を保持すると共に、携帯情報端末１にログイン応答信号を送信する。
【００４７】
以上で、携帯情報端末１のＭＳ２２に関するユーザ登録手順は完了する。
【００４８】
携帯情報端末１が、近傍に存在するその他のＭＳ（ＭＳ２ｎ）に対してユーザ登録手順を実行する場合には、上記ＭＳ２２に行った手順と同様の手順により実行することが可能である。これまでの一連のユーザ登録手順により、携帯情報端末１をマスタとするＭＳ２１〜ＭＳ２ｎ（スレーブ）によるピコネットワークが形成される。
【００４９】
＜データダウンロード手順＞
次に、図４を参照し、本発明におけるデータダウンロード手順について説明する。
【００５０】
図３に示すユーザ登録手順完了後、携帯情報端末１は、コンテンツサーバ１０に対してＴＣＰ（Transmission Control Protocol）のコネクションを開設した後、例えばＨＴＴＰ（Hyper Text Transfer Protocol）またはＦＴＰ（File Transfer Protocol）等のプロトコルによるコンテンツ要求信号を送信する。
【００５１】
携帯情報端末１からのコンテンツ要求信号を受信したコンテンツサーバ１０は、該当するコンテンツをＩＰデータグラムで送信する。当該ＩＰデータグラムの送信先アドレスは、携帯情報端末１のアドレスであるＩＰアドレス１である。
【００５２】
コンテンツサーバ１０からのＩＰデータグラムを受信したＰ−ＭＧＳ７は、送信先アドレス（ＩＰアドレス１）で自身が保持しているＰＤＰ−Ｃｏｎｔｅｘｔを検索し、当該ユーザ（ＩＰアドレス１）が複数のＭＳ上に登録されていることを認識し、受信したＩＰデータグラムを登録されているＴＩＤ（ＴＩＤ２１〜２ｎ）を含めて、順次カプセル化してＰ−ＭＳＣ４２に送信する。
【００５３】
尚、カプセル化されたＩＰデータグラムの送信先アドレスは、Ｐ−ＭＳＣ４２のＩＰアドレスである。また、ＩＰアドレス１に対する送信先ＭＳ２１〜２ｎ（＝ＴＩＤ２１〜２ｎ）への送信割合は、均等もしくは任意の割合を設定してもよい。
【００５４】
Ｐ−ＭＳＣ４２は、自身宛に届いたカプセル化されたＩＰデータグラムのカプセル化をほどき、元のＩＰデータグラム（送信先ＩＰアドレス１）を取り出した後、付与されているＴＩＤ２１〜２ｎより、転送先ＭＳ２１〜２ｎにＬＬＩ１〜ｎを使ってそれぞれデータを送信する。
【００５５】
Ｐ−ＭＳＣ４２からデータを受信したＭＳ２１〜２ｎは、携帯情報端末１にそれぞれデータを送信する。尚、各ＭＳと携帯情報端末１との間のデータ転送時は、当該ピコネットワークのマスタである携帯情報端末１が各ＭＳとの同期制御を行うこととなる。
【００５６】
Ｐ−ＭＳＣ４２は、ＭＳとの間のレイヤ２リンク（ＬＬＩ）レベルでの、応答確認が取れた分のデータ量を計測すると共に保持しておき、随時、ＨＬＲ６に対して課金情報更新要求により該トラヒック情報を通知する。該課金情報更新要求信号には、各ＭＳのＩＭＳＩ、ＩＰアドレス１及びトラヒック情報（送信データ量）が含まれる。
【００５７】
ＨＬＲ６は、Ｐ−ＭＳＣ４２からの課金情報更新要求信号によりＩＰアドレス１（＝ＩＭＳＩ２１）の課金情報を更新する。
【００５８】
以上で、本発明におけるデータダウンロード手順は完了する。
【００５９】
＜データアップロード手順＞
次に、図５を参照し、本発明におけるデータアップロード手順について説明する。
【００６０】
図３に示すユーザ登録手順完了後、携帯情報端末１は、コンテンツサーバ１０に対してＴＣＰのコネクションを開設した後、例えばＨＴＴＰまたはＦＴＰ等のプロトコルによるアップロード要求信号を送信し、コンテンツサーバ１０からの応答信号を受信後、送信すべきデータを順次、ＭＳ２１〜２ｎへＩＰデータグラムで送信する。当該ＩＰデータグラムの送信先アドレスは、コンテンツサーバ１０のＩＰアドレスであるＩＰアドレス１０である。
【００６１】
携帯情報端末１からデータを受信したＭＳ２１、ＭＳ２２及びＭＳ２ｎは、それぞれＬＬＩ１、ＬＬＩ２及びＬＬＩｎを使って、Ｐ−ＭＳＣ４２へデータを送信する。
【００６２】
ＭＳ２１、ＭＳ２２及びＭＳ２ｎからデータを受信したＰ−ＭＳＣ４２は、ＬＬＩ１、ＬＬＩ２及びＬＬＩｎ毎にＴＩＤを含めてカプセル化して、Ｐ−ＭＧＳ７に送信する。尚、カプセル化されたＩＰデータグラムの送信先アドレスは、Ｐ−ＭＧＳ７のＩＰアドレスである。
【００６３】
Ｐ−ＭＧＳ７は、自身宛に届いたカプセル化されたＩＰデータグラムのカプセル化をほどき、元のＩＰデータグラム（送信先ＩＰアドレス１０）を取り出した後、該ＩＰデータグラムをインターネット９を介してコンテンツサーバ１０へ送信する。また、Ｐ−ＭＧＳ７は、インターネット９へ送信した分のデータ量を計測すると共に保持しておき、随時、ＨＬＲ６に対して課金情報更新要求により該トラヒック情報を通知する。該課金情報更新要求信号には、各ＭＳのＩＭＳＩ、ＩＰアドレス１及びトラヒック情報（送信データ量）が含まれる。
【００６４】
ＨＬＲ６は、Ｐ−ＭＧＳ７からの課金情報更新要求信号により、ＩＰアドレス１（＝ＩＭＳＩ２１）の課金情報を更新する。
【００６５】
以上で、本発明におけるデータアップロード手順が完了する。
【００６６】
次に、図６を参照し、図２のパケット通信登録手順における認証処理１００について説明する。
【００６７】
図６の認証処理１００は、移動データ網５がＭＳ２１〜２ｎよりＡｔｔｃｈ要求を受けた場合に、Ａｔｔｃｈ要求を行ったＭＳ（ここでは、ＭＳ２１）の正当性を確認するために行う周知の手順である。
【００６８】
図６の認証処理１００において、Ａｔｔｃｈ要求信号を受信したＰ−ＭＳＣ４２は、上述したとおり、該Ａｔｔｃｈ要求信号に含まれるＰ−ＴＭＳＩ２１及び旧位置登録エリアコードより、ＭＳ２１が以前に在圏登録していたＰ−ＭＳＣ４１を特定し、Ｐ−ＭＳＣ４１にＩＤ要求信号の送信を行い、Ｐ−ＭＳＣ４１より、ＭＳ２１の移動機ＩＤ及び認証情報を取得する。
【００６９】
ＭＳ２１の認証情報とは、所定のアルゴリズムに従って生成した乱数と該乱数及びＭＳ２１固有の認証鍵とにより、所定の演算処理を行った演算結果とのペア（乱数＋演算結果）であって、ＨＬＲ６において生成され、ＭＳ２１の認証処理を実施する度に該認証情報（乱数＋演算結果）は消費されていくものである。
【００７０】
Ｐ−ＭＳＣ４１へのＩＤ要求の際に、Ｐ−ＭＳＣ４１にＭＳ２１の認証情報が無い場合（既に消費されている場合）は、Ｐ−ＭＳＣ４２は、ＨＬＲ６に対して認証情報要求を行い、ＭＳ２１の認証情報を新たに取得する。
【００７１】
認証情報を取得したＰ−ＭＳＣ４２は、取得した認証情報の１つのペア（乱数＋演算結果）を取り出し、ＭＳ２１に対して取り出した乱数のみを認証要求信号として送信する。ＭＳ２１は、自己の認証鍵と認証要求信号でＰ−ＭＳＣ４２から通知された乱数により所定の演算処理を行い、演算結果をＰ−ＭＳＣ４２へ認証応答信号として送信する。Ｐ−ＭＳＣ４２は、ＭＳ２１から受信した演算結果と、先に取り出した認証情報の内の演算結果とを比較し、ＭＳ２１の正当性を確認する。
【００７２】
以上説明したように、本発明の実施形態によれば、Ｂｌｕｅｔｏｏｔｈ等の短距離高速無線通信技術を利用した公衆移動データ通信におけるデータ転送時に、自身が保有する移動機以外の複数の移動機の無線回線リソースを一時的に使用することが可能となるため、利用者から見たデータ転送スループットの向上が期待できるという効果がある。
【００７３】
［他の実施形態］
上記実施形態では、携帯情報端末１と移動機２１〜２ｎ間の通信手段として、短距離無線通信規格であるＢｌｕｅｔｏｏｔｈを例に挙げたが、Ｂｌｕｅｔｏｏｔｈ以外に、赤外線を用いたデータ通信用のインタフェースであるＩｒＤＡ（Infrared Data Association：赤外線通信規格）、家庭向け簡易無線ＬＡＮ仕様のＨｏｍｅＲＦ（Home Radio Frequency）、及び有線インタフェースの適用が考えられる。
【００７４】
【発明の効果】
以上説明したように、本発明によれば、携帯情報端末と移動機との間で短距離高速無線通信リンクを確立し、携帯情報端末から移動機を介して認証装置にログイン要求を通知し、ログイン要求に基づき認証装置で認証処理を行い、認証装置による認証結果が正しい場合に、データ転送装置で携帯情報端末からのデータ転送先として移動機を追加登録し、携帯情報端末及びコンテンツ送信装置間のデータ転送時に、データ転送装置でコンテンツ送信装置から携帯情報端末宛のデータを受信した場合に、携帯情報端末の転送先情報に基づき移動機を含む複数の移動機に対して携帯情報端末宛のデータを転送するので、Ｂｌｕｅｔｏｏｔｈ等の短距離高速無線通信技術を利用した公衆移動データ通信におけるデータ転送時に、自身が保有する移動機以外の複数の移動機の無線回線リソースを一時的に使用することが可能となるため、利用者から見たデータ転送スループットの向上が期待できるという効果がある。
【００７５】
また、携帯情報端末と移動機とが、赤外線を用いたデータ通信用のインタフェースであるＩｒＤＡにより通信を行う場合、或いは家庭向け簡易無線ＬＡＮ仕様のＨｏｍｅＲＦにより通信を行う場合、或いは有線インタフェースにより通信を行う場合においても、上記Ｂｌｕｅｔｏｏｔｈを用いた無線インタフェースにより通信を行う場合と同様の効果がある。
【図面の簡単な説明】
【図１】本発明の実施形態の公衆移動通信システムの構成例を示すブロック図である。
【図２】移動データ通信システムで一般的に行われているパケット通信登録手順を示すシーケンス図である。
【図３】本発明の実施形態のデータ転送方法を実行するためのユーザ登録手順の例を示すシーケンス図である。
【図４】本発明の実施形態のデータ転送方法を利用したデータダウンロード手順の例を示すシーケンス図である。
【図５】本発明の実施形態のデータ転送方法を利用したデータアップロード手順の例を示すシーケンス図である。
【図６】本発明の実施形態のパケット通信登録手順における認証処理を示すシーケンス図である。
【符号の説明】
１  携帯情報端末
２１〜２ｎ  移動機
３  ＲＡＮ
４１〜４２  パケット移動通信加入者交換機
５  移動データ網
６  ホームロケーションレジスタ
７  パケット移動通信関門交換機
８  認証サーバ
９  インターネット
１０  コンテンツサーバ
【図１】
0003543322.tif 000002
【図２】
0003543322.tif 000003
【図３】
0003543322.tif 000004
【図４】
0003543322.tif 000005
【図５】
0003543322.tif 000006
【図６】
0003543322.tif 000007